(57)【要約】【課題】貯金した金額を表示できる機能を有する電子貯金箱であって、携帯することが容易であり、携帯ゲーム機と電子貯金箱を接続することにより、業務用ゲーム機と同じコイン投入によるゲーム感覚で携帯ゲーム機を楽しむことができるコイン通過検出システムを提供する。【解決手段】ゲーム機１０に電子貯金箱１１を接続する。コイン投入口１７からゲームコインを投入することにより、コインは検出され、投入されたコイン数はカウントされ記憶される。投入されたコインの数の情報はゲーム機１０に通知され、ゲーム機１０は投入されたコインに基づきゲームを開始する。ゲーム機１０は電子貯金箱１１にコインに関する情報を送出し、電子貯金箱１１ではゲーム機１０から送られる情報によりコインのカウント数を減算したり、加算したりする。【選択図】図１
2010082392.tif 000002
【特許請求の範囲】
【請求項１】
接続装置１を有するゲーム機と、
前記接続装置１に装脱着できる接続装置２を有する電子貯金箱とから構成され、
前記電子貯金箱は、
コイン投入口と、
コイン検出機構と、
前記コイン検出機構で検出したコインをカウントして記憶するカウント記憶手段と、
表示部と、
サウンド発生手段と、
制御手段と、
前記ゲーム機と通信を行う通信手段とを有し、
前記ゲーム機は、
操作部と、
表示部と、
サウンド発生手段と、
ゲームプログラムを読み込み前記操作部から操作に従ってゲーム画面を前記表示部に表示し、前記サウンド発生手段により音を発生することによりゲームを実行するゲーム実行手段と、
前記電子貯金箱と通信を行う通信手段とを有し、
前記電子貯金箱単体で用いる場合、前記コイン検出機構は、コイン種別情報を含むコイン通過の情報を検出し、前記制御手段はコイン種別毎にコイン通過の数を得て算出される情報を前記表示部に表示するか、前記サウンド発生手段により音で表示し、
前記電子貯金箱とゲーム機を接続して用いる場合、前記コイン検出機構は、コイン通過の情報を検出し、前記制御手段はコイン通過の数をカウントしそのカウント数を前記ゲーム機に通知し、前記通知を受けたゲーム機からコインに関する情報を受けたとき、記憶したカウント値を増減することを特徴とするコイン通過検出システム。
【請求項２】
前記電子貯金箱の制御手段は、前記ゲーム機からゲームの進行状況の情報を受けたとき、受けた情報を前記表示部に表示するように構成したことを特徴とする請求項１記載のコイン通過検出システム。
【請求項３】
前記コインは、第１の種類の第１コインと、第２の種類の第２コインであり、
前記コイン検出機構は第１コインの場合、コイン通過を検出し、第２コインの場合、コイン種別毎にコイン通過を検出することを特徴とする請求項１または２記載のコイン通過検出システム。
【発明の詳細な説明】
【技術分野】
【０００１】
本発明は、ゲーム機と電子貯金箱からなるコイン通過検出システム、さらに詳しくいえばコインの通過を検出してゲームに反映したり、電子貯金箱でアトラクション処理を行ったりすることができるコイン通過検出システムに関する。
【背景技術】
【０００２】
貯蓄金額，貯蓄目標などを設定し、貯金の習慣を身に付けるための電子貯金箱が提案されている（特許文献１）。
この電子貯金箱は、貯金箱，硬貨投入機構および電子回路構造から構成されており、硬貨投入機構により硬貨額，投入金額を設定し、電子回路構造により貯金金額，貯金目標，貯金速度，奨励音楽，時間設定，アラーム設定および伝送画面によるコンピュータとの連結の機能を設定できるものである。電子回路構造はコンピュータに連結されるもので、コンピュータに装着された電子回路構造のマネージメントソフトにより、貯金箱内に貯金された金額を計画・管理し、各硬貨の数量などを表示させるものである。
【０００３】
この電子貯金箱は、効果的に貯蓄を行うための機能を備えており、使用者は、貯金の目標，ペース，速度などを認識しつつ貯金ができ、使用者の貯金意欲を高める以外に奨励や娯楽効果を達成することができるというものである。
【特許文献１】実用新案登録第３１２７４４３号公報
【発明の開示】
【発明が解決しようとする課題】
【０００４】
しかしながら、この電子貯金箱は基本動作としては電子貯金箱単体として動作するものであり、玩具的なものである。また、コンピュータとの通信ができるが、教育的な運用が目的である。
貯金箱の一般的な認識としては据え置きで使用するもので、上記特許文献１も据え置きで用いることを前提としており、実際に携帯され、持ち運びされることを想定した機能，構造を備えていない。
【０００５】
本発明は、上記状況に鑑みなしたもので、その目的は、貯金した金額を表示できる機能を有する電子貯金箱であって、携帯することが容易であり、携帯ゲーム機と電子貯金箱を接続することにより、業務用ゲーム機と同じコイン投入によるゲーム感覚で携帯ゲーム機を楽しむことができるコイン通過検出システムを提供することにある。
【課題を解決するための手段】
【０００６】
前記目的を達成するために本発明の請求項１記載の発明は、接続装置１を有するゲーム機と、前記接続装置１に装脱着できる接続装置２を有する電子貯金箱とから構成され、前記電子貯金箱は、コイン投入口と、コイン検出機構と、前記コイン検出機構で検出したコインをカウントして記憶するカウント記憶手段と、表示部と、サウンド発生手段と、制御手段と、前記ゲーム機と通信を行う通信手段とを有し、前記ゲーム機は、操作部と、表示部と、サウンド発生手段と、ゲームプログラムを読み込み前記操作部から操作に従ってゲーム画面を前記表示部に表示し、前記サウンド発生手段により音を発生することによりゲームを実行するゲーム実行手段と、前記電子貯金箱と通信を行う通信手段とを有し、前記電子貯金箱単体で用いる場合、前記コイン検出機構は、コイン種別情報を含むコイン通過の情報を検出し、前記制御手段はコイン種別毎にコイン通過の数を得て算出される情報を前記表示部に表示するか、前記サウンド発生手段により音で表示し、前記電子貯金箱とゲーム機を接続して用いる場合、前記コイン検出機構は、コイン通過の情報を検出し、前記制御手段はコイン通過の数をカウントしそのカウント数を前記ゲーム機に通知し、前記通知を受けたゲーム機からコインに関する情報を受けたとき、記憶したカウント値を増減することを特徴とする。
本発明の請求項２記載の発明は、請求項１記載の発明において前記電子貯金箱の制御手段は、前記ゲーム機からゲームの進行状況の情報を受けたとき、受けた情報を前記表示部に表示するように構成したことを特徴とする。
本発明の請求項３記載の発明は、請求項１または２記載の発明において、前記コインは、第１の種類の第１コインと、第２の種類の第２コインであり、前記コイン検出機構は第１コインの場合、コイン通過を検出し、第２コインの場合、コイン種別毎にコイン通過を検出することを特徴とする。
第１の種類の第１コインは例えば、ゲーム機に用いる擬似コインなどであり、１枚または所定の枚数のコインを投入することにより、１ゲームまたは複数回ゲームができるものである。第２の種類の第２コインとは、１０円，５０円，１００円，５００円などのコインであり、投入されたコインのコイン種別情報（１０円，５０円，１００円または５００円コインか）とその通過を検出するものである。これによりコイン種別情報と通過したコイン数の積を求め、コイン種別毎の求めた積を加算すれば、投入した合計の金額を電子貯金箱の表示部に表示できる。
【発明の効果】
【０００７】
上記構成によれば、持ち運びが容易でありながら携帯ゲーム機をコインを投入してゲームができるという業務用ゲーム機感覚でゲームを行うことができ、また、電子貯金箱はゲーム機のコントローラの一部の役目も果たすことができる。さらに電子貯金箱単独では貯蓄額を表示したり、コイン投入時にアトラクション処理表示を行う貯金箱として使用することができる。  
【発明を実施するための最良の形態】
【０００８】
以下、図面を参照して本発明の実施の形態を詳しく説明する。
図１は、本発明によるコイン通過検出システムの外観を示す斜視図である。
ゲーム機１０は中央に液晶パネル３０を有し、液晶パネル３０の左右に十字ボタン１４，操作ボタン１５が配置されている。右上にスピーカ１２が配置されている。
電子貯金箱１１は中央にコイン投入口１７が設けられ、その下側に液晶パネル２７が配置されている。電子貯金箱１１の隅にはスピーカ２８が配置されている。
この図はゲーム機１０の下面に有するコネクタ雌（ポート）と、電子貯金箱１１の上面に設けられているコネクタ雄が接続され、ゲーム機１０と電子貯金箱１１が通信可能なコイン通過検出システムが構成されている。
【０００９】
図２Ａは、コイン検出機構の詳細を説明するための断面図である。
この実施の形態で投入可能なコインは第１のコインであるゲーム機に使用されるコイン（擬似コイン）である。また、第２のコインは貯金に使用する１０円，５０円，１００円および５００円硬貨である。
コイン検出機構２３は、コイン投入口１７から投入されたコイン３２を案内し、図示しないコイン蓄積部に落下させるコイン検出通路３３，コイン検出通路３３の途中に設けられたコイン検出バー３４，コイン検出バー３４を回動可能に支持する軸３５，軸３５を所定の強さで時計方向に付勢するバネ３７，コイン検出バー３４の先端３４ｂに取り付けた接片３９，接片３９が接する基板３８を備えている。
【００１０】
コインを検出していない状態ではコイン検出バー３４の回転位置は実線で示す位置となっている。コインが投入されてコイン検出バー３４の先端３４ａの上に載ると、コイン検出バー３４はバネ３７の引っ張力に抗して反時計回りに回転し、コインの重量に対応した回転量だけ回転する。例えばゲーム機用コインであれば、２点鎖線で示す位置まで回転する。
【００１１】
基板３８は図２Ａの（ｂ）に示すように所定の間隔で導体パターン４０ａ〜４０ｆが形成されており、その隣に出力用導体パターン４１が形成されている。電源電圧＋Ｖとアースと導体パターン４０ａとの間，導体パターン４０ａと４０ｂとの間，導体パターン４０ｂと４０ｃとの間，導体パターン４０ｃと４０ｄとの間，導体パターン４０ｄと４０ｅとの間および導体パターン４０ｅと４０ｆとの間にそれぞれ抵抗Ｒ１（例えば５ｋΩ）が接続されている。また、出力用導体パターン４１とアースの間に抵抗Ｒ２（例えば５００ｋΩ）が接続されている。
接片３９はコンタクト点３９ａおよび３９ｂを有し、コンタクト点３９ａは出力用導体パターン４１に、コンタクト点３９ｂは導体パターン４０ａ〜４０ｆに接触するようになっている。コインを検出していない当初は、出力用導体パターン４１と導体パターン４０ｆ位置に接している。
【００１２】
ここで、第１コインのゲーム用コインは６ｇとする。そして、規格では５００円は７．２ｇ，１００円は４．８ｇ，１０円は４．５ｇ，５０円は４ｇである。
したがって、投入されるコインが５０円であれば、コイン検出バー３４の接片３９は出力用導体パターン４１と導体パターン４０ｅの上まで回転移動する。コインが１０円であれば、コイン検出バー３４の接片３９は出力用導体パターン４１と導体パターン４０ｄの上まで回転移動する。コインが１００円であれば、コイン検出バー３４の接片３９は出力用導体パターン４１と導体パターン４０ｃの上まで回転移動する。さらにゲーム機用コインであればコイン検出バー３４の接片３９は出力用導体パターン４１と導体パターン４０ｂの上まで回転移動する。コインが５００円であれば、コイン検出バー３４の接片３９は出力用導体パターン４１と導体パターン４０ａの上まで回転移動する。回転制限板４２が設けられており、例えば５００円以上の重い硬貨を投入しても、コイン検出バー３４は回転制限板４２に制限され、接片３９は出力用導体パターン４１と導体パターン４０ａ位置より上側に回転することはない。
【００１３】
したがって、投入するコインが５０円，１０円，１００円硬貨，ゲーム機用コイン，５００円硬貨であれば、それぞれ出力用導体パターン４１から出力される電圧は、（１／６）Ｖ，（１／３）Ｖ，（１／２）Ｖ，（２／３）Ｖ，（５／６）Ｖとなって、電圧値によってコインの種類を識別することができる。Ｒ１に５ｋΩ，Ｒ２に５００ｋΩを用いれば正確な値は、それぞれ０．１６５Ｖ，０．３２９Ｖ，０．４９３Ｖ，０．６５８Ｖ，０．８２７Ｖである。コインがコイン検出バー３４の３４ａ部分に載ってそのコイン重量対応の最大回転量になるまでに出力される電圧波形は図２Ｂに示すようになる。５０円コインの場合、１つの矩形波のみであり、この矩形波の電圧が検出される。１０円コインの場合、２つの矩形波が出力され、２つ目の矩形波が１０円コインの出力電圧として検出される。１００円硬貨，ゲームコインおよび５００円硬貨も、それぞれ３，４および５つの矩形波が出力され、それぞれ３つ目，４つ目および５つ目の矩形波が１００円，ゲームコイン，５００円コインの出力電圧として検出される。
コインはコイン検出バー３４の３４ａ部分に載って各コイン対応の最大電圧が検出された後、コイン検出通路３３の奥に落下するため、コイン検出バー３４はバネ３７の付勢力によって元の位置に戻り出力値はアース電位となる。コインは図示しないコイン蓄積部に蓄積される。
【００１４】
図３は、本発明によるコイン通過検出システムの回路の実施の形態を示すブロック図である。
ゲーム機１０はＣＰＵ１３，液晶パネル３０，ＲＯＭ２５，スピーカ１２，十字ボタン１４，操作ボタン１５を備えている。
ＣＰＵ１３はＲＯＭ２５に格納されているゲームプログラムを読み込み、十字ボタン１４および操作ボタン１５からの操作に従ってゲーム画面を液晶パネル３０に表示するとともにスピーカ１２より背景音などを出力することによりゲームを実行する。
ゲーム機１０はポートを有しており、ポートの入出力信号を電子貯金箱１１に送受信するためのコネクタ（雌）１８が設けられている。ゲーム機１０のコネクタ（雌）１８は電子貯金箱１１のコネクタ（雄）１９に装着可能である。ＣＰＵ１３はコネクタ（雌）１８を介して電子貯金箱１１と通信をする機能を有する。
【００１５】
電子貯金箱１１はＣＰＵ１６，液晶パネル２７，ＲＯＭ２２，スピーカ２８，コイン投入口１７，コイン検出機構２３を備えている。
コイン投入口１７に投入されたコインはコイン検出機構２３によりその種別が検知され、その種別対応の電圧がＣＰＵ１６に出力される。ＣＰＵ１６はコイン種別情報と投入コイン数をカウントし、これら情報をメモリ部２４に記憶する。ＣＰＵ１６はコイン種別情報と投入コイン数を用いて演算を行い、投入されたコインの合計を液晶パネル２７に表示する。
貯蓄額表示は、電子貯金箱１１が単独の場合およびゲーム機に接続された状態で、ゲームコインではなく、１０円，５０円硬貨などが投入された場合に表示する。
【００１６】
ＣＰＵ１６はＲＯＭ２２に格納されたコイン検出プログラムを読み出すことにより、コイン投入に関する処理を行う。コネクタ（雄）１９がゲーム機１０に接続された状態で、ゲームコインが投入された場合、ＣＰＵ１６は投入されたゲームコインの数をカウントし、その情報をコネクタ（雄）１９を介してゲーム機１０に送る。ゲーム機１０は送られたゲームコインの情報が例えば３ゲーム分を行える情報であれば、ゲーム機１０では３ゲーム行うことができる。そして、１ゲーム目を開始すると、カウントされたコイン数を減算するための情報が電子貯金箱１１に返送される。
電子貯金箱１１に貯金がされたときスピーカ２８から音を出力したり、液晶パネル２７にその旨を知らせる文字を表示したりする。
【００１７】
図４は、電子貯金箱単体のときの動作を説明するためのフローチャートである。
電子貯金箱単体の場合であり、貯蓄を目的として１０円，５０円，１００円，５００円硬貨の投入を対象としたものである。ＣＰＵ１６はコイン検出機構２３から得られる情報によりコイン通過したか否かを判定する（ステップ（以下「Ｓ」という）０１）。コイン検出機構２３がコイン通過を検出すれば、コイン種別情報（電圧値）も送ってくるので、コイン種別情報毎にカウントし、メモリ部２４に記憶する（Ｓ０２）。ＣＰＵ１６はカウントする毎にスピーカ２８から音を出力したり、また液晶パネル２７に文字を表示したりするなどのアトラクション処理を行う（Ｓ０３）。このＳ０１〜Ｓ０３の動作はコインが投入される毎に繰り返される。そして投入されたコインの合計金額を液晶パネル２７に表示する。
【００１８】
図５は、電子貯金箱とゲーム機接続のときの動作を説明するためのフローチャートである。電子貯金箱単体がゲーム機に接続された場合の動作で、ゲームコインの投入を対象としたものである。ＣＰＵ１６はコイン検出機構２３から得られる情報によりコイン通過したか否かを判定する（Ｓ１１）。コイン検出機構２３がコイン通過を検出すれば、通過した数をカウントしメモリ部２４に記憶する（Ｓ１２）。そしてＣＰＵ１６はコネクタ（雄）１９を介してゲーム機１０にその情報を通知する（Ｓ１３）。ゲーム機１０は得られたコインのカウント情報に従ってゲームを開始する。例えば、１コインで１ゲームできるゲーム機であれば、コインのカウント数だけゲームを行うことができる。また、ゲーム機１０は必要に応じて、ゲーム進行の状況を電子貯金箱１１に送る（Ｓ１４）。
ゲームを開始すれば、その情報が電子貯金箱１１に送られ、ＣＰＵ１６はそのカウント値を減算する（Ｓ１５）。また、ゲームの結果、例えばゲームの回数を増加させるボーナスが当たれば、電子貯金箱１１のカウント値を増加させるゲームの回数分の数が加えられる。
このような動作を繰り返して業務用ゲーム機と同様、コインを投入してゲームを行うことができる操作感を得ることができる。
【００１９】
以上の実施の形態は電子貯金箱に投入するコインとして１円，５円硬貨を貯金の対象の硬貨から省いた例について説明したが、１円，５円硬貨を検出する機構を設けることにより、より多くの種別の硬貨に対応することができる。
また、コインの種別を判別する簡単な機構としてコインの重量でコイン検出バーの回転量を検出して種別を判別する例を説明したが、他の機構を用いてもよい。
例えば、コイン種別毎に投入口を設け、それぞれの投入口に繋がるコイン通路にコイン検出用のスイッチを設けてコイン種別を判別することもできる。かかる場合は、コインの種別の数だけスイッチが必要となる。また、ロータリスイッチを設け、ロータリスイッチの回転位置にコイン種別を対応させ、コイン投入するときは使用者にロータリスイッチを操作させコイン種別を予め対応させることもできる。しかしながら、この機構は、コイン投入に際し使用者が正しくロータリスイッチを操作しないと、実際に投入したコイン種別と電子貯金箱側が検出するコイン種別は食い違うこととなり、コインの正確な検出は使用者の操作に依存することとなる。
【産業上の利用可能性】
【００２０】
ゲーム機と電子貯金箱により構成されるコイン通過検出システムである。
【図面の簡単な説明】
【００２１】
【図１】本発明によるコイン通過検出システムの外観を示す斜視図である。
【図２Ａ】コイン検出機構の詳細を説明するための断面図である。
【図２Ｂ】各種のコイン検出で出力される電圧波形例を示す図である。
【図３】本発明によるコイン通過検出システムの回路の実施の形態を示すブロック図である。
【図４】電子貯金箱単体のときの動作を説明するためのフローチャートである。
【図５】電子貯金箱とゲーム機接続のときの動作を説明するためのフローチャートである。
【符号の説明】
【００２２】
１０，２０  ゲーム機  
１１，２１  電子貯金箱
１３，１６  ＣＰＵ
１４  十字ボタン
１５  操作ボタン
１７  コイン投入口
１８  コネクタ（雌）
１９  コネクタ（雄）
２２，２５  ＲＯＭ
２３  コイン検出機構
２４  メモリ部
【図１】
2010082392.tif 000003
【図２Ａ】
2010082392.tif 000004
【図２Ｂ】
2010082392.tif 000005
【図３】
2010082392.tif 000006
【図４】
2010082392.tif 000007
【図５】
2010082392.tif 000008